(57)【要約】【課題】  扉のハンドルを着脱可能にすると共に、安全性を高め、また、使い勝手を向上させる。【解決手段】  扉の表面に基板１装着し、この基板に、内端にハンドル軸と係合する第１凹陥部１３を形成した駆動軸１１及びハンドル受１８を相互に独立に回動できるように支承すると共に、ハンドル受１８を化粧カバー３２で覆い、更に、化粧カバー３２及びハンドル受１８に、その半径方向から、ハンドル１６が差し通される第２逃げ溝６を形成すると共に、ハンドル受１８及び駆動軸１１の所定の相対角度位置において第２逃げ溝６と整合する駆動軸１９の外側面に、ハンドルの先端部と係合する受穴１５を形成し、また、ハンドルを施錠角度位置及び解錠角度位置の２ヶ所で抜き外すことができるようにする。【選択図】  図６
2012211435.tif 000002
【特許請求の範囲】
【請求項１】
中央部に駆動軸が貫通する挿通孔を開口させた板状体で、その正面形の下方に、第１乃至第３逃げ溝を、第２逃げ溝を中心にしてその両側に第１及び第３逃げ溝を対称的に形成すると共に、上記挿通孔を錠箱の軸孔と同軸にして扉の表面に装着される基板と、内端面にハンドル軸と係合する異形の第１凹陥部を形成し、内端部を基板の挿通孔と嵌合させた状態で、基板に回動自在に支承された駆動軸と、この駆動軸と回動可能に嵌合する厚板状のハンドル受と、このハンドル受及び駆動軸の嵌合部を覆うようにハンドル受に装着されたカップ状の化粧カバーと、先端部裏面側にピン状のストッパーを植設した細長い板状体であるハンドルとを有し、化粧カバー及びハンドル受に、その半径方向からハンドルが差し通されるガイド溝及びストッパーとの干渉を避けるための第４逃げ溝を形成すると共に、ハンドル受及び駆動軸の所定の相対角度位置においてガイド溝と整合する駆動軸の外側面に、ハンドルの先端部と係合する受穴を形成し、ハンドル受にハンドルを差込まない状態ではハンドル受が空回りし、基板の第２逃げ溝とハンドル受の第４逃げ溝の角度位置が合致したとき、ガイド溝にハンドルの先端部を挿入して駆動軸とハンドル受とをハンドルを介して一体に連結すると共に、基板の段部によってハンドルの回動角度を規制し、一方、ハンドルを第１及び第３逃げ溝の一方における角度位置で外方に引き抜くことにより、錠前を解錠状態に保った状態でハンドルを安全な場所に保管することができるようにしたことを特徴とする着脱可能なハンドル装置。
【発明の詳細な説明】
【技術分野】
【０００１】
この発明は、着脱可能なハンドル装置（以下単にハンドル装置という）に係り、特に、安全性を高めると共に、使い勝手をも向上させたハンドル装置に関する。
【背景技術】
【０００２】
本出願人は、先に、下記特許文献１を以て、新規なハンドル装置を提案した。
このハンドル装置は、例えば劇場や音楽ホール等において、防音扉を観客が自由に開け閉めしては都合が悪い場合があるので、自由に開け閉めできないように、グレモン錠等の錠前を施解錠するハンドルを着脱できるようにしたものである。
【０００３】
そして、上記ハンドル装置は、中央部に駆動軸が貫通する挿通孔を開口させた板状体で、この挿通孔を錠箱の軸孔と同軸にして扉の表面に装着される基板と、内端面にハンドル軸と係合する異形の第１凹陥部を形成し、内端部を基板の挿通孔と嵌合させた状態で、基板に回動自在に支承された駆動軸と、この駆動軸と回動可能に嵌合する厚板状のハンドル受と、このハンドル受及び駆動軸の嵌合部を覆うようにハンドル受に装着されたカップ状の化粧カバーと、先細にした先端部裏面側にピン状のストッパーを植設した細長い板状体であるハンドルとを有し、化粧カバー及びハンドル受にその半径方向から、ハンドルが差し通されるガイド溝及びストッパーとの干渉を避けるための逃げ溝を形成すると共に、ハンドル受及び駆動軸の所定の相対角度位置においてガイド溝と整合する駆動軸の外側面に、ハンドルの先端部と係合する受穴を形成し、更に、上記基板の所定の角度位置に、半径方向に延在するストッパーの導入溝と上記基板の挿通孔の開口端縁に沿うストッパーの移動角度規制溝とを連結した全体の形状が略Ｙ字形の第２凹陥部を形成し、ハンドル受にハンドルを差込まない状態ではハンドル受が空回りし、ストッパーの導入溝とハンドル受の逃げ溝の角度位置が合致したとき、ガイド溝にハンドルの先端部を挿入して駆動軸とハンドル受とをハンドルを介して一体に連結すると共に、ストッパーを上記第２凹陥部の移動角度規制溝に導入して、ハンドルの回動角度を規制する一方、ハンドルがガイド溝から抜脱することを防止するようにしたことを特徴とする。
【先行技術文献】
【特許文献】
【０００４】
【特許文献１】特許第４１８１９４６号に係る特許公報
【発明の概要】
【発明が解決しようとする課題】
【０００５】
上記特許文献１に記載されたハンドル装置は、ハンドル受にハンドルを挿入して所定の方向に所定の角度ハンドルを回すことにより錠前を解錠し、その回動角度位置において防音扉を開放して観客等の退出を待ち、退出後ハンドルを挿入角度位置にまで戻して錠前を施錠すると共に、ハンドル受からハンドルを抜き外す構造である。
【０００６】
しかして、上記特許文献１に記載されたハンドル装置は、ハンドル受からハンドルを抜き外すには錠前を施錠しなければならず、錠前を解錠して防音扉を開いた状態で劇場や音楽ホールなどの清掃をするにはハンドルをハンドル受に挿入しておかなければならない。
【０００７】
この場合例えば悪戯等によるハンドルの抜き外し、及び持ち去りの心配があるので、上記ハンドル装置は使い勝手上未だ改良の余地がある。
【０００８】
そこで、この発明は、錠前の施錠及び解錠の如何に拘らずハンドルをハンドル受から抜き外して安全な場所に保管しておくことができる新規なハンドル錠を提供することを目的としている。
【課題を解決するための手段】
【０００９】
上記の目的を達成するため、請求項１に記載の発明は、中央部に駆動軸が貫通する挿通孔を開口させた板状体で、その正面形の下方に、第１乃至第３逃げ溝を、第２逃げ溝を中心にしてその両側に第１及び第３逃げ溝を対称的に形成すると共に、上記挿通孔を錠箱の軸孔と同軸にして扉の表面に装着される基板と、内端面にハンドル軸と係合する異形の第１凹陥部を形成し、内端部を基板の挿通孔と嵌合させた状態で、基板に回動自在に支承された駆動軸と、この駆動軸と回動可能に嵌合する厚板状のハンドル受と、このハンドル受及び駆動軸の嵌合部を覆うようにハンドル受に装着されたカップ状の化粧カバーと、先端部裏面側にピン状のストッパーを植設した細長い板状体であるハンドルとを有し、化粧カバー及びハンドル受に、その半径方向からハンドルが差し通されるガイド溝及びストッパーとの干渉を避けるための第４逃げ溝を形成すると共に、ハンドル受及び駆動軸の所定の相対角度位置においてガイド溝と整合する駆動軸の外側面に、ハンドルの先端部と係合する受穴を形成し、ハンドル受にハンドルを差込まない状態ではハンドル受が空回りし、基板の第２逃げ溝とハンドル受の第４逃げ溝の角度位置が合致したとき、ガイド溝にハンドルの先端部を挿入して駆動軸とハンドル受とをハンドルを介して一体に連結すると共に、基板の段部によってハンドルの回動角度を規制し、一方、ハンドルを第１及び第３逃げ溝の一方における角度位置で外方に引き抜くことにより、錠前を解錠状態に保った状態でハンドルを安全な場所に保管することができるようにしたことを特徴とする。
【発明の効果】
【００１０】
本発明によるハンドル装置は、錠箱の軸孔を駆動軸及び化粧カバーで覆う構造なので、正規の構造のハンドルをガイド溝に差し通し、その先端部を駆動軸の受穴に係合させない限り駆動軸及び錠箱のハンドル軸を回動させることができず、したがって錠前の安全性が向上する。
【００１１】
また、ハンドルをハンドル受のガイド溝に差込まない常態においては、ハンドル受及び化粧カバーは空回りするので、通常の工具では錠箱の回転作用軸を回すことができず、ハンドル装置の安全性が更に向上する。
【００１２】
更にまた、施錠状態においてハンドルをハンドル受けに差し入れ、錠前を解錠したハンドルの角度位置においてハンドルをハンドル受から引き抜くことができるので、錠前を解錠状態に保った状態でハンドルを安全な場所に保管することができる、等種々の効果を奏する。
【図面の簡単な説明】
【００１３】
【図１】基板の正面図。
【図２】錠箱の側面図。
【図３】駆動軸の側面図。
【図４】駆動軸の内端面図。
【図５】駆動軸の受穴部分の断面図。
【図６】この発明の一実施例によるハンドル装置の断面図。
【図７】ハンドル受の裏面図。
【図８】ハンドル受の下面図。
【図９】化粧カバーを外して示すハンドル装置の正面図。
【図１０】この発明の一実施例によるハンドル装置の下面図。
【図１１】この発明の一実施例によるハンドル装置の正面図。
【図１２】ハンドルを解錠角度位置にまで回した状態を示す図９と同様の正面図。
【発明を実施するための形態】
【００１４】
錠箱の回転作用軸とハンドルとを常態では空回りするハンドル受で連結し、通常の工具では錠箱の回転作用軸を回すことができないようにすると共に、ハンドル受とハンドルの抜き差しの角度位置を２ヶ所設け、錠前の施錠時及び解錠時の両方においてハンドルを抜き外し、これを安全な場所に保管できるようにした。
【実施例１】
【００１５】
以下、図面を参照してこの発明の一実施例によるハンドル装置について説明する。
図１において符号１は基板を示し、この基板１は、全体の形状が蛇の目状の板状体で、その中央には、後に詳述する駆動軸が貫通する挿通孔２が開口している。
【００１６】
上記基板１の正面形の図１における下方は、段部３、３を境にして一段低くなっており、この低くなっている部分の外周部には一対の略茄子型の突出部４、４が島状に形成されている。
【００１７】
そのため、上記基板１の下方には、第１乃至第３逃げ溝５〜７が形成されることになる。
【００１８】
そして、前記特許文献１に記載された発明と本願発明との大きな相違は、特許文献１に記載された発明における１本の逃げ溝（導入溝１５）が、本願発明においては３本であることで、他の構成は本願発明と大同小異である。
【００１９】
上記のように構成された基板１は、その周辺に開口した付番しない皿付のビス穴を挿通する図示しない止めねじにより、上記挿通孔２を錠箱８の軸孔９（図２参照）と同軸にして、扉の表面にねじ止めされる。
【００２０】
一方、図３において符号１１は駆動軸を示し、この駆動軸１１は、外端にフランジ１２を一体に形成した短円柱体で、その内端面には、図４に示すように、異形の第１凹陥部１３が形成されている。
【００２１】
なお、この第１凹陥部１３の断面形状は、図４に示すように、断面方形のハンドル軸１４（図２参照）と係合角度位置を３種類に調節可能な形状であるが、この形状は本発明の必須の構成要件ではない。
【００２２】
また、この駆動軸１１のフランジ１２付近の外側面に、後述するハンドルの先端と係合する受穴１５（図３及び図５参照）が形成されている。
【００２３】
図示の実施例における受穴１５の断面形状は、細長い矩形の先端部を円弧状に成形したハンドル１６（図６参照）の先端の形状に合せた同形になっているが、この受穴の断面形状はこの発明の必須の構成要件ではない。
【００２４】
更にまた、駆動軸１１の内端部外周面には、雄ねじ部（図３及び図６参照）が形成されている。
【００２５】
他方、図７及び図８において符号１８はハンドル受を示し、このハンドル受１８は、外形が例えばギターの胴を思わせる形状の厚板体で、その中央部には駆動軸の外端部と嵌合し得る嵌合孔１９が形成されている。
【００２６】
そして、この嵌合孔１９の外端部には、駆動軸の前記フランジ１２を収納できる止め段部２１が形成されている。
【００２７】
また、ハンドル受１８の図７における下方には、上記嵌合孔１９の半径方向から、細長い厚板であるハンドル１６（図６）が差し通されるガイド溝２２と、ハンドルの裏面に植設されたピン状のストッパー２３(図６参照)との干渉を避けるための第４逃げ溝２４とが、断面Ｔ字形に交差する態様で連設されている（図８参照）。
【００２８】
なお、図７において、符号２５は後述のクリックボール２６及びクリックばね２７(図９参照)を収納するボール収納孔を示す。
【００２９】
上記のように構成されたハンドル受１８及び駆動軸１１は、図６に示すように、その内端部を基板１の挿通孔２と嵌合させ、基板１の裏側に突き出た駆動軸１１の内端部にワッシャー２８を嵌め、更に、その内側にリング状の固定環２９を螺着して、セットビス３１で固定する。
【００３０】
そして、図９に示すようにハンドル受１８及び駆動軸１１を坦持した基板１を扉の表面にねじ止めし、図６に示すように、ハンドル受１８及び駆動軸１１の外面における嵌合部を覆うようにカップ状の化粧カバー３２を装着する。
【００３１】
この化粧カバー３２をハンドル受１８に装着するには、例えば、図８においてハッチングを施したハンドル受の部分にタップを立て、図１０に示すように、カップ状の化粧カバー３２をねじ止めする。
【００３２】
なお、化粧カバー３２の図６における下方の部分をハンドルとの干渉を避けるために切り欠くものとし、更に、図８におけるハッチングはタップを立てる部分を明瞭にするためであって、実際にハッチングが施されているわけではない。
【００３３】
上記のように構成されたこの発明の一実施例によるハンドル装置は、図１２に示すように、第１凹陥部１３を錠箱のハンドル軸と嵌合させた駆動軸１１は、錠前の施解錠に応じて所定の角度位置をとり、その角度位置を保持する。
【００３４】
したがって、固定された駆動軸１１に対し、これと回動可能に嵌合するハンドル受１８は常態、すなわちハンドルを差し込まない状態では空回りする。
【００３５】
一方、図９及び図１０に示すように基板の第２逃げ溝６（図１参照）及びハンドル受の第４逃げ溝２４（図７参照）の角度位置が合致したとき、ガイド溝２２にハンドル１６の先端部を挿入することが可能になる。
【００３６】
このときには、ストッパー２３が第２逃げ溝６及び第４逃げ溝２４に共通に係合及び摺接しつつハンドル受１８の内方に進入する。
【００３７】
そして、ハンドル１６を一杯に差し込んだとき、図９に示すように、駆動軸１１とハンドル受１８とはハンドル１６を介して一体的に連結され、同時に、クリックボール２６がハンドルの先端部側端縁に形成されたクリック溝（付番せず）に落ち込み、挿入されたハンドルの先端部を準安定的にハンドル受１８に固定する。
【００３８】
この状態では、ハンドル２４を操作してのハンドル軸５の駆動が可能になり、扉の開け閉めを行うことができる。
【００３９】
また、このときストッパー２３が基板１の段部３、３（図１参照）に衝止されるから、ハンドル１６は過大に回動できず、したがってハンドル軸及びこれに連結された操作部材に過大な力が掛からない。
【００４０】
ハンドルを外すときには、第２逃げ溝６と第４逃げ溝２４とを角度的に整合させた後ハンドル１６を外方に引くと、クリックボールとクリック溝との係合が外れ、ハンドルをハンドル受１８から外すことができる。
【００４１】
また、このハンドル装置を例えばグレモン錠などの錠前と組み合わせて用いる場合には、グレモン錠のハンドル軸は施錠角度位置、及び解錠角度位置において安定してその角度位置を保つことができる。
【００４２】
したがって、これらの施解錠角度位置の関係角度をα（図１に示す実施例においてはα＝６０度）とし、図１の第２及び第３逃げ溝６、７の関係角度を同じαとすると、錠前が施錠状態のとき第２逃げ溝６からハンドルを差し込み、ハンドルを反時計方向にα回して解錠し、其の儘ハンドルを外方に引けば、錠前を解錠状態にしたままハンドル１６をハンドル受１８から抜き外して安全な場所に確保しておくことができる。
【００４３】
なお、図１においては、第２逃げ溝６に関し第３逃げ溝７と対称的な角度位置に第１逃げ溝５が形成されているが、これはハンドルが３つの角度位置をとるという意味ではなく、第１及び第３逃げ溝５、７の一方は扉の左右勝手に応じて使用されない。
【符号の説明】
【００４４】
１  基板
２  挿通孔
３  段部
４  突出部
５  第１逃げ溝
６  第２逃げ溝
７  第３逃げ溝
８  錠箱
９  軸孔
１１  駆動軸
１２  フランジ
１３  第１凹陥部
１４  ハンドル軸
１５  受穴
１６  ハンドル
１７  雄ねじ部
１８  ハンドル受
１９  嵌合孔
２１  止め段部
２２  ガイド溝
２３  ストッパー
２４  第４逃げ溝
２５  ボール収納孔
２６  クリックボール
２７  クリックばね
２８  ワッシャー
２９  固定環
３１  セットビス
３２  化粧カバー
【図１】
2012211435.tif 000003
【図２】
2012211435.tif 000004
【図３】
2012211435.tif 000005
【図４】
2012211435.tif 000006
【図５】
2012211435.tif 000007
【図６】
2012211435.tif 000008
【図７】
2012211435.tif 000009
【図８】
2012211435.tif 000010
【図９】
2012211435.tif 000011
【図１０】
2012211435.tif 000012
【図１１】
2012211435.tif 000013
【図１２】
2012211435.tif 000014